(57)【要約】【課題】加飾カバーを携帯電話機本体に対して簡単に着脱を行い、確実に装着する。【解決手段】加飾カバー４を圧縮変形された状態のクッション部材を介してリアカバー１８に重なるように圧入して、圧縮変形したクッション部材の元の状態に戻ろうとする復元力が、リアカバー１８を押し下げるように働き、加飾カバー４が、リアカバー１８から上方へ持ち上げられるように力を受ける。これによって、爪部の上端部が切欠き部２２ａ，２２ｂ，２２ｃの下端部を持ち上げるように締付力が作用する。また、この状態から、外力を加えて加飾カバー４をリアカバー１８に押し付けると、爪部の先端部が下降し、切欠き部２２ａ，２２ｂ，２２ｃから離反して、係止関係が解除される。【選択図】図１
2006217189.tif 000002
【特許請求の範囲】
【請求項１】
携帯型電子機器の筐体に、前記筐体の少なくとも一部を覆うカバー部材が取り付けられたカバー部材取付構造であって、
前記カバー部材と前記筐体とのうち、一方に形成された係止部によって、他方に形成された被係止部が、係止状態の解除が可能なように係止されることによって、
前記カバー部材は、前記筐体に対して取外し可能なように装着されていることを特徴とする携帯型電子機器のカバー部材取付構造。
【請求項２】
前記筐体には、前記カバー部材を係止する係止部が形成され、前記カバー部材は、前記係止部によって係止される被係止部を有し、少なくとも前記カバー部材は、前記係止部によって前記被係止部が係止されている場合に、外力によって前記係止部と前記被係止部とが互いに離反するように、弾性的に変形可能なように成形されている
ことを特徴とする請求項１記載の携帯型電子機器のカバー部材取付構造。
【請求項３】
前記筐体は、比較的広い表面を有する第１の主面部と、前記第１の主面部から裏面側へ向けて屈曲するように形成された第１の側面部とを有し、前記カバー部材は、前記第１の主面部の表面にその裏面が対向するように配置される第２の主面部と、前記第２の主面部からその裏面側へ向けて屈曲するように形成され、前記第１の側面部を覆う第２の側面部とを有し、
前記筐体の前記第１の側面部の表面側には、前記係止部としての切欠き部が形成され、前記カバー部材の前記第２の側面部の裏面側には、前記被係止部としての爪部が形成され、前記爪部が前記切欠き部によって係止されることによって前記カバー部材が前記筐体に着脱自在に取り付けられている
ことを特徴とする請求項１又は２記載の携帯型電子機器のカバー部材取付構造。
【請求項４】
前記カバー部材の前記第２の主面部の裏面の所定の部位には、弾性的に変形可能な付勢部が設けられていることを特徴とする請求項３記載の携帯型電子機器のカバー部材取付構造。
【請求項５】
前記付勢部は、前記カバー部材の前記第２の主面部の裏面にクッション部材が取り付けられてなっていることを特徴とする請求項４記載の携帯型電子機器のカバー部材取付構造。
【請求項６】
前記カバー部材は、前記筐体に装着された際に、前記クッション部材が圧縮変形した状態で、前記爪部の上端部が前記切欠き部の下端部に接触して、前記爪部が前記切欠き部によって係止されることを特徴とする請求項５記載の携帯型電子機器のカバー部材取付構造。
【請求項７】
前記カバー部材の前記第２の主面部に表面側から裏面側へ向けて外力が加えられることによって、前記切欠き部と前記爪部とが互いに離反して、係止状態が解除され、前記カバー部材が前記筐体から取り外されることを特徴とする請求項６記載の携帯型電子機器のカバー部材取付構造。
【請求項８】
前記カバー部材が、前記第２の主面部に対して前記第２の側面部が拡開された状態で前記筐体に圧入され、拡開された前記第２の側面部が元の状態に戻ろうとする復元力によって、前記カバー部材が前記筐体に押し付けられて、取り付けられることを特徴とする請求項３乃至７のいずれか１に記載の携帯型電子機器のカバー部材取付構造。
【請求項９】
前記カバー部材は、対称軸に対して線対称の形状を呈し、一対の前記第２の側面部は、前記対称軸の周りにその先端部が互いに逆向きに回転するように、変形可能とされていることを特徴とする請求項８記載の携帯型電子機器のカバー部材取付構造。
【請求項１０】
前記カバー部材の前記クッション部材は、ゴムを含む弾性部材からなることを特徴とする請求項５乃至９のいずれか１に記載の携帯型電子機器のカバー部材取付構造。
【請求項１１】
前記カバー部材は、所定の模様及び色彩が施された加飾カバーからなることを特徴とする請求項１乃至１０のいずれか１に記載の携帯型電子機器のカバー部材取付構造。
【請求項１２】
前記カバー部材には、前記携帯型電子機器を構成し、所定の機能を有する機能ユニットの一部の部品が取り付けられていることを特徴とする請求項１乃至１１のいずれか１に記載の携帯型電子機器のカバー部材取付構造。
【請求項１３】
携帯型電子機器の筐体に取り付けられ、前記筐体の少なくとも一部を覆うカバー部材であって、
前記カバー部材と前記筐体とのうち、一方に形成された係止部によって、他方に形成された被係止部が、係止状態の解除が可能なように係止されることによって、
前記カバー部材は、前記筐体に対して取外し可能なように装着されることを特徴とするカバー部材。
【請求項１４】
前記筐体には、当該カバー部材を係止する係止部が形成され、当該カバー部材は、前記係止部によって係止される被係止部を有し、少なくとも当該カバー部材は、前記係止部によって前記被係止部が係止されている場合に、外力によって前記係止部と前記被係止部とが互いに離反するように、弾性的に変形可能なように成形されている
ことを特徴とする請求項１３記載のカバー部材。
【請求項１５】
前記筐体は、比較的広い表面を有する第１の主面部と、前記第１の主面部から裏面側へ向けて屈曲するように形成された第１の側面部とを有し、当該カバー部材は、前記第１の主面部の表面にその裏面が対向するように配置される第２の主面部と、前記第２の主面部からその裏面側へ向けて屈曲するように形成され、前記第１の側面部を覆う第２の側面部とを有し、
前記筐体の前記第１の側面部の表面側には、前記係止部としての切欠き部が形成され、当該カバー部材の前記第２の側面部の裏面側には、前記被係止部としての爪部が形成され、前記爪部が前記切欠き部によって係止されることによって当該カバー部材が前記筐体に着脱自在に取り付けられている
ことを特徴とする請求項１３又は１４記載のカバー部材。
【請求項１６】
前記第２の主面部の裏面の所定の部位には、弾性的に変形可能な付勢部が設けられていることを特徴とする請求項１５記載のカバー部材。
【請求項１７】
前記付勢部は、前記第２の主面部の裏面にクッション部材が取り付けられてなっていることを特徴とする請求項１６記載のカバー部材。
【請求項１８】
前記筐体に装着された際に、前記クッション部材が圧縮変形した状態で、前記爪部の上端部が前記切欠き部の下端部に接触して、前記爪部が前記切欠き部によって係止されることを特徴とする請求項１７記載のカバー部材。
【請求項１９】
前記第２の主面部に表面側から裏面側へ向けて外力が加えられることによって、前記切欠き部と前記爪部とが互いに離反して、係止状態が解除され、前記筐体から取り外されることを特徴とする請求項１８記載のカバー部材。
【請求項２０】
前記第２の主面部に対して前記第２の側面部が拡開された状態で前記筐体に圧入され、拡開された前記第２の側面部が元の状態に戻ろうとする復元力によって、前記筐体に押し付けられて、取り付けられることを特徴とする請求項１５乃至１９のいずれか１に記載のカバー部材。
【請求項２１】
対称軸に対して線対称の形状を呈し、一対の前記第２の側面部は、前記対称軸の周りにその先端部が互いに逆向きに回転するように、変形可能とされていることを特徴とする請求項２０記載のカバー部材。
【請求項２２】
前記クッション部材は、ゴムを含む弾性部材からなることを特徴とする請求項１７乃至２１のいずれか１に記載のカバー部材。
【請求項２３】
所定の模様及び色彩が施された加飾カバーからなることを特徴とする請求項１３乃至２２のいずれか１に記載のカバー部材。
【請求項２４】
前記携帯型電子機器を構成し、所定の機能を有する機能ユニットの一部の部品が取り付けられていることを特徴とする請求項１３乃至２３のいずれか１に記載のカバー部材。
【請求項２５】
請求項１乃至１２のいずれか１に記載の携帯型電子機器のカバー部材取付構造を備えたことを特徴とする携帯型電子機器。
【請求項２６】
請求項１３乃至２４のいずれか１に記載のカバー部材が取り付けられることを特徴とする携帯型電子機器。
【請求項２７】
携帯型電子機器の筐体に、前記筐体の少なくとも一部を覆うカバー部材を取り付けるカバー部材装着方法であって、
前記カバー部材と前記筐体とのうち、一方に形成された係止部によって、他方に形成された被係止部を、係止状態の解除が可能なように係止して、前記カバー部材を、前記筐体に対して取外し可能なように装着する
ことを特徴とする携帯型電子機器におけるカバー部材装着方法。
【発明の詳細な説明】
【技術分野】
【０００１】
この発明は、携帯型電子機器のカバー部材取付構造、カバー部材、携帯型電子機器及びカバー部材装着方法に係り、携帯電話機等の携帯型電子機器の筐体に取り付ける加飾カバー等のカバー部材取付構造、カバー部材、カバー部材が取り付けられる携帯型電子機器、及びカバー部材装着方法に関する。
【背景技術】
【０００２】
近年、携帯型電子機器としての携帯電話機には、本来の通話機能や、電子メールを送受信したり、ネットワークに接続してサイトからプログラムをダウンロードする等のデータ通信機能のみならず、電子カメラが搭載されたものも一般化されてきている。
さらに、最近は、携帯電話機には、こうした多機能性のみならず、高いデザイン性も要求されており、美感上も優れたものでなければならない。
ところが、ユーザは、購入当初気に入ったものであっても、かつ、機能上何ら問題がなくても次第にそのデザインに見飽きてくることがある。
【０００３】
しかも、ユーザとしては、別のデザインのものを求めたい反面、使い慣れた携帯電話機を引き続き利用し、出費も抑えたいという相反する要求がある。
ユーザのこうした要望に応えるため、筐体を構成する例えばフロントケースを別のデザインのものに変更するために交換可能に構成することが提案されている（例えば、特許文献１参照。）。
さらに、筐体もこのまま用い、筐体を所定のデザインが施された加飾カバーで覆って用いることも提案されている。これによって、加飾カバーとして、ユーザの好みのものを取り付けて楽しむことができ、様々なデザインの加飾カバーを用意しておくことで、ユーザの好みや気分等に応じて、交換が可能となる。
【０００４】
【特許文献１】特開平１１−１７７６６１号公報
【発明の開示】
【発明が解決しようとする課題】
【０００５】
解決しようとする問題点は、上記従来技術では、加飾カバーを携帯電話機本体に、ねじ等の固定具を用いて取り付けるため、取付け時及び取外し時に、工具を必要とする等、手間や時間がかって交換が煩雑となるという点である。しかも、固定具として特殊な形状のねじが用いられるので、専用の工具を必要とする。
【０００６】
この発明は、上述の事情に鑑みてなされたもので、携帯電話機に対して簡単かつ迅速に着脱を行うことができ、かつ、装着されているときには容易に脱落しないように確実に保持することができる携帯型電子機器のカバー部材取付構造、カバー部材、携帯型電子機器及びカバー部材装着方法を提供することを目的としている。
【課題を解決するための手段】
【０００７】
上記課題を解決するために、請求項１記載の発明は、携帯型電子機器の筐体に、上記筐体の少なくとも一部を覆うカバー部材が取り付けられたカバー部材取付構造に係り、上記カバー部材と上記筐体とのうち、一方に形成された係止部によって、他方に形成された被係止部が、係止状態の解除が可能なように係止されることによって、上記カバー部材は、上記筐体に対して取外し可能なように装着されていることを特徴としている。
【０００８】
また、請求項２記載の発明は、請求項１記載の携帯型電子機器のカバー部材取付構造に係り、上記筐体には、上記カバー部材を係止する係止部が形成され、上記カバー部材は、上記係止部によって係止される被係止部を有し、少なくとも上記カバー部材は、上記係止部によって上記被係止部が係止されている場合に、外力によって上記係止部と上記被係止部とが互いに離反するように、弾性的に変形可能なように成形されていることを特徴としている。
【０００９】
また、請求項３記載の発明は、請求項１又は２記載の携帯型電子機器のカバー部材取付構造に係り、上記筐体は、比較的広い表面を有する第１の主面部と、上記第１の主面部から裏面側へ向けて屈曲するように形成された第１の側面部とを有し、上記カバー部材は、上記第１の主面部の表面にその裏面が対向するように配置される第２の主面部と、上記第２の主面部からその裏面側へ向けて屈曲するように形成され、上記第１の側面部を覆う第２の側面部とを有し、上記筐体の上記第１の側面部の表面側には、上記係止部としての切欠き部が形成され、上記カバー部材の上記第２の側面部の裏面側には、上記被係止部としての爪部が形成され、上記爪部が上記切欠き部によって係止されることによって上記カバー部材が上記筐体に着脱自在に取り付けられていることを特徴としている。
【００１０】
また、請求項４記載の発明は、請求項３記載の携帯型電子機器のカバー部材取付構造に係り、上記カバー部材の上記第２の主面部の裏面の所定の部位には、弾性的に変形可能な付勢部が設けられていることを特徴としている。
【００１１】
また、請求項５記載の発明は、請求項４記載の携帯型電子機器のカバー部材取付構造に係り、上記付勢部は、上記カバー部材の上記第２の主面部の裏面にクッション部材が取り付けられてなっていることを特徴としている。
【００１２】
また、請求項６記載の発明は、請求項５記載の携帯型電子機器のカバー部材取付構造に係り、上記カバー部材は、上記筐体に装着された際に、上記クッション部材が圧縮変形した状態で、上記爪部の上端部が上記切欠き部の下端部に接触して、上記爪部が上記切欠き部によって係止されることを特徴としている。
【００１３】
また、請求項７記載の発明は、請求項６記載の携帯型電子機器のカバー部材取付構造に係り、上記カバー部材の上記第２の主面部に表面側から裏面側へ向けて外力が加えられることによって、上記切欠き部と上記爪部とが互いに離反して、係止状態が解除され、上記カバー部材が上記筐体から取り外されることを特徴としている。
【００１４】
また、請求項８記載の発明は、請求項３乃至７のいずれか１に記載の携帯型電子機器のカバー部材取付構造に係り、上記カバー部材が、上記第２の主面部に対して上記第２の側面部が拡開された状態で上記筐体に圧入され、拡開された上記第２の側面部が元の状態に戻ろうとする復元力によって、上記カバー部材が上記筐体に押し付けられて、取り付けられることを特徴としている。
【００１５】
また、請求項９記載の発明は、請求項８記載の携帯型電子機器のカバー部材取付構造に係り、上記カバー部材は、対称軸に対して線対称の形状を呈し、一対の上記第２の側面部は、上記対称軸の周りにその先端部が互いに逆向きに回転するように、変形可能とされていることを特徴としている。
【００１６】
また、請求項１０記載の発明は、請求項５乃至９のいずれか１に記載の携帯型電子機器のカバー部材取付構造に係り、上記カバー部材の上記クッション部材は、ゴムを含む弾性部材からなることを特徴としている。
【００１７】
また、請求項１１記載の発明は、請求項１乃至１０のいずれか１に記載の携帯型電子機器のカバー部材取付構造に係り、上記カバー部材は、所定の模様及び色彩が施された加飾カバーからなることを特徴としている。
【００１８】
また、請求項１２記載の発明は、請求項１乃至１１のいずれか１に記載の携帯型電子機器のカバー部材取付構造に係り、上記カバー部材には、上記携帯型電子機器を構成し、所定の機能を有する機能ユニットの一部の部品が取り付けられていることを特徴としている。
【００１９】
また、請求項１３記載の発明は、携帯型電子機器の筐体に取り付けられ、上記筐体の少なくとも一部を覆うカバー部材に係り、上記カバー部材と上記筐体とのうち、一方に形成された係止部によって、他方に形成された被係止部が、係止状態の解除が可能なように係止されることによって、上記カバー部材は、上記筐体に対して取外し可能なように装着されることを特徴としている。
【００２０】
また、請求項１４記載の発明は、請求項１３記載のカバー部材に係り、上記筐体には、当該カバー部材を係止する係止部が形成され、当該カバー部材は、上記係止部によって係止される被係止部を有し、少なくとも当該カバー部材は、上記係止部によって上記被係止部が係止されている場合に、外力によって上記係止部と上記被係止部とが互いに離反するように、弾性的に変形可能なように成形されていることを特徴としている。
【００２１】
また、請求項１５記載の発明は、請求項１３又は１４記載のカバー部材に係り、上記筐体は、比較的広い表面を有する第１の主面部と、上記第１の主面部から裏面側へ向けて屈曲するように形成された第１の側面部とを有し、当該カバー部材は、上記第１の主面部の表面にその裏面が対向するように配置される第２の主面部と、上記第２の主面部からその裏面側へ向けて屈曲するように形成され、上記第１の側面部を覆う第２の側面部とを有し、上記筐体の上記第１の側面部の表面側には、上記係止部としての切欠き部が形成され、当該カバー部材の上記第２の側面部の裏面側には、上記被係止部としての爪部が形成され、上記爪部が上記切欠き部によって係止されることによって当該カバー部材が上記筐体に着脱自在に取り付けられていることを特徴としている。
【００２２】
また、請求項１６記載の発明は、請求項１５記載のカバー部材に係り、上記第２の主面部の裏面の所定の部位には、弾性的に変形可能な付勢部が設けられていることを特徴としている。
【００２３】
また、請求項１７記載の発明は、請求項１６記載のカバー部材に係り、上記付勢部は、上記第２の主面部の裏面にクッション部材が取り付けられてなっていることを特徴としている。
【００２４】
また、請求項１８記載の発明は、請求項１７記載のカバー部材に係り、上記筐体に装着された際に、上記クッション部材が圧縮変形した状態で、上記爪部の上端部が上記切欠き部の下端部に接触して、上記爪部が上記切欠き部によって係止されることを特徴としている。
【００２５】
また、請求項１９記載の発明は、請求項１８記載のカバー部材に係り、上記第２の主面部に表面側から裏面側へ向けて外力が加えられることによって、上記切欠き部と上記爪部とが互いに離反して、係止状態が解除され、上記筐体から取り外されることを特徴としている。
【００２６】
また、請求項２０記載の発明は、請求項１５乃至１９のいずれか１に記載のカバー部材上記第２の主面部に対して上記第２の側面部が拡開された状態で上記筐体に圧入され、拡開された上記第２の側面部が元の状態に戻ろうとする復元力によって、上記筐体に押し付けられて、取り付けられることを特徴としている。
【００２７】
また、請求項２１記載の発明は、請求項２０記載のカバー部材に係り、対称軸に対して線対称の形状を呈し、一対の上記第２の側面部は、上記対称軸の周りにその先端部が互いに逆向きに回転するように、変形可能とされていることを特徴としている。
【００２８】
また、請求項２２記載の発明は、請求項１７乃至２１のいずれか１に記載のカバー部材に係り、上記クッション部材は、ゴムを含む弾性部材からなることを特徴としている。
【００２９】
また、請求項２３記載の発明は、請求項１３乃至２２のいずれか１に記載のカバー部材に係り、所定の模様及び色彩が施された加飾カバーからなることを特徴としている。
【００３０】
また、請求項２４記載の発明は、請求項１３乃至２３のいずれか１に記載のカバー部材に係り、上記携帯型電子機器を構成し、所定の機能を有する機能ユニットの一部の部品が取り付けられていることを特徴としている。
【００３１】
また、請求項２５記載の発明に係る携帯型電子機器は、請求項１乃至１２のいずれか１に記載の携帯型電子機器のカバー部材取付構造を備えたことを特徴としている。
【００３２】
また、請求項２６記載の発明に係る携帯型電子機器は、請求項１３乃至２４のいずれか１に記載のカバー部材が取り付けられることを特徴としている。
【００３３】
また、請求項２７記載の発明は、携帯型電子機器の筐体に、上記筐体の少なくとも一部を覆うカバー部材を取り付けるカバー部材装着方法に係り、上記カバー部材と上記筐体とのうち、一方に形成された係止部によって、他方に形成された被係止部を、係止状態の解除が可能なように係止して、上記カバー部材を、上記筐体に対して取外し可能なように装着することを特徴としている。
【発明の効果】
【００３４】
この発明の構成によれば、カバー部材と筐体とのうち、一方に形成された係止部によって、他方に形成された被係止部が、係止状態の解除が可能なように係止されることによって、カバー部材は、筐体に対して取外し可能なように装着されているので、携帯電話機に対して簡単かつ迅速に着脱を行うことができ、かつ、装着されているときには容易に脱落しないように確実に保持することができる。
【発明を実施するための最良の形態】
【００３５】
カバー部材と筐体とのうち、一方に形成された係止部によって、他方に形成された被係止部が、係止状態の解除が可能なように係止され、カバー部材は、筐体に対して取外し可能なように装着されていることによって、携帯電話機に対して簡単かつ迅速に着脱を行い、かつ、装着されているときには容易に脱落しないように確実に保持するという目的を実現した。
【実施例１】
【００３６】
図１は、この発明の第１実施例である携帯電話機の構成を説明するための分解斜視図、図２は、同携帯電話機の上部ユニットの構成を示す断面図、図３は、図２のＡ部を拡大して示す拡大断面図であって、同携帯電話機の加飾カバー取付構造の構成及び機能を説明するための説明図、図４は、同携帯電話機の構成を示すブロック図、図５は、携帯電話機本体の構成を説明するための斜視図、図６は、同携帯電話機の加飾カバーの構成を一部透視して示す斜視図、図７は、同加飾カバーの構成を示す平面図、図８は、同加飾カバーの構成を示す下面図、図９は、同加飾カバーの構成を示す正面図、図１０は、同加飾カバーの構成を示す背面図、図１１は、同加飾カバーの構成を示す右側面図、図１２は、同加飾カバーの構成を示す左側面図、図１３は、図１のＢ部を拡大して示す拡大図、図１４は、図１のＣ部を拡大して示す拡大図、図１５は、図１のＤ部を拡大して示す拡大図、図１６は、図１のＥ部を拡大して示す拡大図、図１７は、図６のＦ部を拡大して示す拡大図、図１８は、図６のＧ部を拡大して示す拡大図、図１９は、図６のＨ部を拡大して示す拡大図、図２０は、図６のＩ部を拡大して示す拡大図、図２１は、図８のＪ部を拡大して示す拡大図、図２２は、図８のＫ部を拡大して示す拡大図、また、図２３は、図８のＬ部を拡大して示す拡大図である。
【００３７】
この例の携帯電話機１は、図１に示すように、折畳可能な筐体２を備えた携帯電話機本体３に、加飾カバー４が着脱自在に装着されて概略構成されている。
携帯電話機本体３は、本来の通話機能のほか、例えば、電子メールの送受信やインターネットに接続してホームページの閲覧が可能なデータ通信機能、内蔵された電子カメラによる撮影機能を有し、図１乃至図３に示すように、上部ユニット５と下部ユニット６とが、互いに開閉自在にヒンジ部７で相互に結合されて構成されている。
【００３８】
上部ユニット２は、図１乃至図５に示すように、折畳可能な扁平な筐体２を構成する上部筐体９に、例えば周囲の風景や人物等を撮影する電子カメラユニット１１と、例えば受話音声を出力する受話部１２と、例えば着信時に着信音を出力する音声出力部１３と、折畳時に内側となる側（内面側）に配設され液晶表示装置からなり例えば機能設定画面や、待受画面等が表示される主表示部１４と、折畳時に外側となる側（外面側）に配設され液晶表示装置からなる補助表示部１５と、ＬＥＤを有し例えば着信時や通話時に発光する発光部１６とが実装されて概略構成されている。
【００３９】
上部筐体９は、共に例えばＡＢＳ樹脂等の合成樹脂成形品からなり、内面側を構成するフロントケース１７と、外面側を構成するリアカバー１８とを有し、組み合されたフロントケース１７とリアカバー１８とが嵌合によって、又は雌ねじや雄ねじ等の固定具による締付けによって、電子カメラユニット１１や受話部１２、音声出力部１３、主表示部１４、補助表示部１５、発光部１６が内部に収納され、又は取り付けられた状態で、組み立てられてなっている。
【００４０】
リアカバー１８は、対称軸に対して線対称の形状を呈し、スクリーン部材１９を露出させるための開口２１ａや音波を放出するための音孔部２１ｂが形成され、外表面が上方に凸となるように若干湾曲した外面部２１と、外面部２１から内面側（フロントケース１７側）へ向けて屈曲するように延設された側面部２２とを有している。
側面部２２の端部の所定の部位には、図１３乃至図１６に示すように、加飾カバー４の爪部４３ｂ，４５ａ，４５ｂを係止する切欠き部２２ａ，２２ｂ，２２ｃが複数形成され、これらの切欠き部２２ａ，２２ｂ，２２ｃは、上記対称軸に対して線対称な位置関係で、配置されている。この例では、側面部２２の上部と、左右両側部とに、３対の切欠き部２２ａ，２２ａ、２２ｂ，２２ｂ、２２ｃ，２２ｃが、それぞれ形成されている。
【００４１】
上部筐体９の側面部の切欠き部２２ａ，２２ａ、２２ｂ，２２ｂ、２２ｃ，２２ｃの形成部位には、フロントケース１７とリアカバー１８とが組み合された状態で、凹部が形成されることとなる。
なお、切欠き部２２ａ，２２ｂ，２２ｃの端縁は、角部が除かれた滑かな曲面からなる形状とされている。
【００４２】
下部ユニット６は、折畳可能な扁平な筐体を構成する下部筐体２４に、図１、図４及び図５に示すように、携帯電話機本体の構成各部を制御する制御部２５と、制御部２５が実行する処理プログラムや各種データ等を記憶するための記憶部２６と、アンテナ２７を介して無線電波の送受信を行い、所定のプロトコルに従って通話やデータ通信を行うために用いられる無線通信部２８と、数字や文字の入力操作等を行うための多数の各種操作キー等からなる操作部２９と、送話音声を入力するマイクロフォンからなる送話部３１と、振動によって例えば着信を通知するための振動部３２と、電池パック等からなる電源部３３とが実装されて概略構成されている。
【００４３】
下部筐体２４は、共に例えばＡＢＳ樹脂等の合成樹脂成形品からなり、内面側を構成するフロントケース３５と、外面側を構成するリアカバー３６とを有し、組み合されたフロントケース３５とリアカバー３６とが嵌合によって、又は雌ねじや雄ねじ等の固定具による締付けによって、制御部２５や無線通信部２８、操作部２９、送話部３１、振動部３２等が内部に収納され、又は取り付けられた状態で、組み立てられてなっている。
筐体２は、ヒンジ部７で相互に結合された上部筐体９と下部筐体２４とからなり、ヒンジ部７は、上側筐体９と下側筐体２４とを回転自在に結合して携帯電話機本体３に折畳可能な構造を付与している。
【００４４】
加飾カバー４は、例えば透明樹脂からなり、所定の模様及び彩色が施され、上部ユニット５のリアカバー１８に重なるように着脱自在に取り付けられる。
この例では、加飾カバー４は、図６乃至図１２に示すように、称軸に対して線対称の形状を呈し、リアカバー１８と概略同様の外形寸法を有し、リアカバー１８の外面部２１を覆う上方（携帯電話機本体３側と反対向き）に凸となるように若干湾曲した天井部３８と、天井部３８から下方（携帯電話機本体３側）とへ向けて屈曲するように延設され、リアカバー１８の側面部２２を覆う側面部３９とを有している。
また、天井部３８には、開口２１ａと重なるように配置され、スクリーン部材１９を露出させるための開口３８ａと、音声出力部１３の音孔部２１ｂを露出させるための開口３８ｂとが形成されている。
【００４５】
また、天井部３８の裏面側の所定の部位には、例えばシリコーンゴム等の弾性体からなるクッション部材４１，４１，４１が接着によって取り付けられている。
この例では、クッション部材４１は、開口３８ａの両側の天井部３８の上部の周縁部側と、開口３８ａと開口３８ｂとの間との３箇所に配置されている。
このクッション部材４１は、天井部３８の裏面とリアカバー１８との間に圧接状態で介在し、その復元力によってリアカバー１８が押し付けられることによって、加飾カバー４とリアカバー１８とが締結される。
【００４６】
側面部３９のうち、上部４３の中央部には、切欠き部４３ａが形成され、ヒンジ部７側に配置される下部４４は、開閉時の下部筐体２４との間の干渉を避けるために、その高さ（深さ）が比較的低く設定されている。
これにより、着脱の際に、特に、対称軸の周りに両側部４５，４５の端部が反対向きに回転するように容易に弾性的に変形可能とされている。
図１７乃至図２３に示すように、側面部３９の上部４３の切欠き部４３ａの両側の裏面側の端部、並びに両側部４５，４５の中央部及び下部４４側の裏面側の端部には、それぞれ、切欠き部２２ａ，２２ｂ，２２ｃに係止される爪部４３ｂ，４５ａ，４５ｂが形成されている。爪部４３ｂ，４５ａ、４５ｂの上端部が切欠き部２２ａ，２２ｂ，２２ｃの下端部に接触して互いに押圧し合うことによって、係合状態となる。なお、爪部４３ｂ，４５ａ，４５ｂは、その先端部は、角部が除かれた滑らかな曲面とされている。
【００４７】
また、加飾カバー４は、リアカバー１８に装着された際に、クッション部材４１が若干圧縮変形した状態で、爪部４３ｂ，４５ａ，４５ｂの上端部が切欠き部２２ａ，２２ｂ，２２ｃの下端部に接触して、爪部４３ｂ，４５ａ，４５ｂと切欠き部２２ａ，２２ｂ，２２ｃとが係合するように、例えば、加飾カバー４の側面部３９及びリアカバー１８の側面部２２の高さ等の構成部材の寸法形状が設定されている。
このクッション部材４１は、天井部３８の裏面とリアカバー１８との間に圧接状態で介在し、その復元力によってリアカバー１８が押し付けられることによって、加飾カバー４とリアカバー１８とが締結される。
【００４８】
すなわち、図３に示すように、圧縮変形したクッション部材４１の元の状態に戻ろうとする復元力Ｆ1が、リアカバー１８を押し下げるように働き、加飾カバー４が、リアカバー１８から上方へ持ち上げられるように力を受ける。これによって、爪部４３ｂ，４５ａ，４５ｂの上端部が切欠き部２２ａ，２２ｂ，２２ｃの下端部を持ち上げるように締付力Ｆ2が作用し、加飾カバー４はリアカバー１８に確実に取り付けられる。
なお、この例では、加飾カバー４は、透明樹脂からなり、図６と、図１７乃至図２０においては、クッション部材４１や爪部４３ｂ，４５ａ，４５ｂが表面側から透視させて視認されている様子を示している（すなわち、実線を用いて示している。）。
【００４９】
また、この状態から、外力を加えて加飾カバー４をリアカバー１８に押し付けると、クッション部材４１がさらに圧縮変形すると共に、爪部４３ｂ，４５ａ，４５ｂの先端部が下降し、切欠き部２２ａ，２２ｂ，２２ｃから離反して、係止関係が解除される。ここで、加飾カバー４の両側面部４５の先端部が互いに逆向きに対称軸の周りに回転するようにして拡開させた状態で持ち上げると、加飾カバー４がリアカバー１８から取り外される。
【００５０】
この例の加飾カバー取付構造４７は、加飾カバー４が圧縮変形された状態のクッション部材４１を介してリアカバー１８に重なるように配置され、かつ、加飾カバー４の爪部４３ｂ，４５ａ，４５ｂがリアカバー１８の切欠き部２２ａ，２２ｂ，２２ｃによって係止されることによって、加飾カバー４がリアカバー１８に着脱自在に取り付けられてなっている。
ここで、加飾カバー４は、リアカバー１８に装着された際に、クッション部材４１が若干圧縮変形した状態で、爪部４３ｂ，４５ａ，４５ｂの上端部が切欠き部２２ａ，２２ｂ，２２ｃの下端部に当接して、爪部４３ｂ，４５ａ，４５ｂと切欠き部２２ａ，２２ｂ，２２ｃとが係合するように、例えば、加飾カバー４の側面部３９及びリアカバー１８の側面部２２の高さ等の構成部材の寸法形状が設定されている。
このクッション部材４１は、天井部３８の裏面とリアカバー１８との間に圧接状態で介在し、その復元力によってリアカバー１８が押し付けられることによって、加飾カバー４とリアカバー１８とが締結される。
【００５１】
制御部２５は、共にＣＰＵ（中央処理装置）等からなり、記憶部２６に記憶された各種処理プログラムを実行し、記憶部２６に確保された各種レジスタやフラグを用いて、構成各部を制御し各種制御処理を実行する。
記憶部２６は、ＲＯＭ、ＲＡＭ等の半導体メモリからなり、制御部２５が実行する通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部２６には、制御部２５がプログラム実行時に用いる各種レジスタやフラグが確保されている。
【００５２】
電子カメラユニット１１は、図４に示すように、スクリーン部材１９を介して被写体から到来した光が入射し、カメラレンズ５１が内蔵された鏡筒５２と、カメラレンズ５１によって結像した画像を光電変換して電気信号としての画像信号を出力するＣＭＯＳ撮像素子等からなる撮像デバイス５３と、撮像デバイス５３から送られてきた画像信号をＡ／Ｄ変換するＡ／Ｄ変換部５４と、Ａ／Ｄ変換部５４でデジタル化された信号にガンマ変換、色空間変換等の画像処理を施す画像処理部５５とを有している。
【００５３】
無線通信部２８は、ＲＦ回路や、変復調回路、ベースバンド処理回路等からなり、音声やデータを変調してアンテナ２７を介して無線電波として送信すると共に、無線電波をアンテナ７を介して受信して音声やデータに復調し、所定のプロトコルに従って通話やデータ通信を行うために用いられる。
主表示部１４は、上部筐体９の折畳み時に内側となる内面側に配設され、例えば透過型の液晶表示装置を有してなっている。液晶表示装置は、液晶表示パネルと、液晶表示パネルに照明光を与えるバックライト装置と、液晶表示パネルを駆動する駆動回路とを有している。
補助表示部１５は、上部筐体９の折畳み時に外側となる外面側に配設され、主表示部１４と同様の構成とされている。
【００５４】
操作部２９は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部１４に表示された表示画面上のカーソルを上下左右方向へ移動させるためのカーソルキーと、例えば数字等を入力するためのテンキー群とを有している。
【００５５】
この例の携帯電話機本体３に、加飾カバー４を装着するには、まず、加飾カバー４を折り畳まれた携帯電話機本体３の上部ユニット２のリアカバー１８上に、爪部４３ｂ，４５ａ，４５ｂが対応する切欠き部２２ａ，２２ｂ，２２ｃの上方に配置されるように載せ、携帯電話機本体３を押えた状態で、加飾カバー４を下方へ向けて圧入していく。
これに伴って、加飾カバー４の両側面部４５，４５の先端部がリアカバー１８の側面部２２表面上を摺動しながら加飾カバー４の両側面部４５，４５が拡開するように力を受けて変形する。
【００５６】
すなわち、加飾カバー４の両側面部４５の先端部が互いに逆向きに対称軸の周りに回転するようにして拡開する。
さらに、圧入して、クッション部材４１が若干圧縮変形するようにすると、爪部４３ｂ，４５ａ，４５ｂの上端部が切欠き部２２ａ，２２ｂ，２２ｃに達して、爪部４３ｂ，４５ａ，４５ｂが切欠き部２２ａ，２２ｂ，２２ｃによって係止される。
すなわち、図３に示すように、圧縮変形したクッション部材４１の元の状態に戻ろうとする復元力Ｆ1が、リアカバー１８を押し下げるように働き、加飾カバー４が、リアカバー１８から上方へ持ち上げられるように力を受ける。
これによって、爪部４３ｂ，４５ａ，４５ｂの上端部が切欠き部２２ａ，２２ｂ，２２ｃの下端部を持ち上げるように締付力Ｆ2が作用し、加飾カバー４とリアカバー１８とが締結される。
【００５７】
携帯電話機本体３から加飾カバー４を取り外すには、まず、外力を加えて加飾カバー４をリアカバー１８に押し付ける。これによって、クッション部材４１がさらに圧縮変形すると共に、爪部４３ｂ，４５ａ，４５ｂの先端部が下降し、切欠き部２２ａ，２２ｂ，２２ｃから離反して、係止関係が解除される。
ここで、例えば、下部４４側（ヒンジ７側）から、加飾カバー４の両側面部４５の先端部が互いに逆向きに対称軸の周りに回転するようにして拡開させた状態で加飾カバー４を持ち上げると、加飾カバー４がリアカバー１８から取り外される。
【００５８】
このように、この例の構成によれば  加飾カバー４を圧縮変形された状態のクッション部材４１を介してリアカバー１８に重なるように圧入することによって、圧縮変形したクッション部材４１の元の状態に戻ろうとする復元力Ｆ1が、リアカバー１８を押し下げるように働き、加飾カバー４が、リアカバー１８から上方へ持ち上げられるように力を受ける。これによって、爪部４３ｂ，４５ａ，４５ｂの上端部が切欠き部２２ａ，２２ｂ，２２ｃの下端部を持ち上げるように締付力Ｆ2が作用し、加飾カバー４はリアカバー１８に確実に取り付けられる。
また、この状態から、外力を加えて加飾カバー４をリアカバー１８に押し付けると、クッション部材４１がさらに圧縮変形すると共に、爪部４３ｂ，４５ａ，４５ｂの先端部が下降し、切欠き部２２ａ，２２ｂ，２２ｃから離反して、係止関係が解除される。ここで、加飾カバー４の両側面部４５の先端部が互いに逆向きに対称軸の周りに回転するようにして拡開させた状態で持ち上げると、加飾カバー４がリアカバー１８から取り外される。
したがって、加飾カバー４を、リアカバー１８に対して簡単にかつ迅速に着脱を行うことができる。しかも、加飾カバー４が装着されているときには容易に脱落しないように確実に保持することができる。また、加飾カバー４を外した状態でも、別のデザインを楽しむことができる。
【００５９】
また、クッション部材４１を３箇所に分散して配置し、爪部４３ｂ，４５ａ，４５ｂと対応する切欠き部２２ａ，２２ｂ，２２ｃとを、それぞれ、加飾カバー４とリアカバー１８との所定の箇所に分散して形成したので、締付力も均等に及ぼされ、加飾カバー４の着脱を円滑に行うことができる。
また、加飾カバー４装着時には、クッション部材４１がリアカバー１８に密着しているので、振動部３２や音声出力部１３が動作した際に、例えば、比較的弾性に乏しい材料同士の不完全な接触（接触したり離れたりすること）によるびりつき音が発生することもない。
したがって、加飾カバー４等を成形する際の寸法のばらつきを吸収でき、加飾カバー４等の寸法の精度を下げることも可能となり、製造コストを低減し、設計上の自由度を向上させることができる。
また、加飾カバー４の裏面側クッション部材４１を取り付けたことによって、面同士の接触や摩擦を回避させ、リアカバー１８の外表面に傷が発生することを防止することができる。
【実施例２】
【００６０】
この例が上述した実施例１と大きく異なるところは、加飾カバーを上方から圧入させて装着するのに代えて、加飾カバーを携帯電話機本体に対して水平方向（例えば主表示部の表示面に平行な方向）からスライドさせて装着可能なように構成した点である。
これに伴い、加飾カバーの側面部の下部（又は上部）を廃し、例えば、リアカバーの両側面部に案内溝を、加飾カバーの両側部の裏面側に案内溝に嵌合する凸部を形成する。また、加飾カバーの側部の下部側（又は上部側）の爪部と、対応するリアカバーの側面部の切欠き部とは、実施例１の場合と同様に形成しておく。
これ以外の構成は、上述した実施例１の構成と略同一であるので、その説明を省略する。
【００６１】
この例の構成によれば、上述した実施例１と略同様の効果を得ることができる。
【実施例３】
【００６２】
この例が上述した実施例１と大きく異なるところは、機能ユニットとしての電子カメラユニットを構成する例えば接写レンズや望遠レンズ等の補助レンズを取り付ける等、加飾カバーに他の機能を付加した点である。
すなわち、この例の加飾カバーには、装着時に携帯電話機本体の撮影窓に対応する箇所には補助レンズが取り付けられる。
これ以外の構成は、上述した実施例１の構成と略同一であるので、その説明を省略する。
【００６３】
この例の構成によれば、上述した実施例１と略同様の効果を得ることができる。
加えて、携帯電話機本体の薄型化及び小型化を達成しつつ、機能の追加や変更を簡単に行うことができる。
すなわち、爪部を切欠き部に係止させて、加飾カバーを筐体に装着することによって、加飾カバーを携帯電話機本体に対して簡単に着脱可能なように構成されているので、例えば、撮影機能におけるレンズの交換等の各種機能の追加や切換を手軽に行うことができ、固定具が必須である従来技術（例えば、特許文献１等）では達成できない効果を得ることができる。
しかも、簡単に着脱できる上に、加飾カバーが筐体に装着された状態では、圧縮変形されたクッション部材によって、締付力が作用するので、ねじ等の固定具を用いて固定した場合と同様に、簡単に脱落しないことはもちろん、位置決めされた状態で確実に固定され、使用中に取付位置がずれて、上記機能が果たせなくなるようなこともない。
【実施例４】
【００６４】
この例が上述した実施例１と大きく異なるところは、実施例１では、形状寸法はリアカバーと概略同様として、模様や色彩等を変更するようにしたのに対して、加飾カバーの外形形状も変更可能なように構成した点である。例えば、若干上に凸の断面弓形形状以外に、平板状や波型形状にする。
これ以外の構成は、上述した実施例１の構成と略同一であるので、その説明を省略する。
【００６５】
この例の構成によれば、上述した実施例１と略同様の効果を得ることができる。
加えて、デザインの変更を一段と強く認識させることができる。
【００６６】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、加飾カバー側に爪部を、筐体側に切欠き部を設けた場合について述べたが、逆としても良いし、係止箇所のうち、加飾カバー側の一部の箇所に爪部を、他の箇所に切欠き部を設けるようにしても良い。
また、クッション部材を加飾カバーの裏面に接着させる場合について述べたが、加飾カバー本体と一体的に成形するようにしても良い。また、接着は、両面接着テープを用いても良いし、接着剤を用いても良いし、熱溶着によって接着するようにしても良い。また、クッション部材は、シリコーンゴムに限らず、フッ素ゴム、多硫化ゴム等から選択して用いても良い。また、ゴムに限らず、例えば、ポリアセタール等の合成樹脂を用いても良い。
【００６７】
また、加飾カバーが、天井部に対して側面部が開拡された状態で筐体に嵌め込まれているように構成しても良い。これによって、復元力によって、さらに、確実に装着することができる。この場合は、クッション部材を廃しても良い。
また、加飾カバーの裏面に、クッション部材に代えて板ばねを一体的に成形するようにしても良い。
また、加飾カバー本体は、透明部材に限らず、遮光性部材を用いて作製しても良いし、加飾カバー本体は、合成樹脂製に限らず、金属製としても良いし、合成樹脂に金属を被覆した構成としても良い。
また、加飾カバーを、例えば、輪状の扁平な取付紐部材を用いて、携帯電話機本体に取り付けるようにしても良い。
【００６８】
また、リアカバーに切欠きを形成し、加飾カバーの高さ（深さ）をリアカバーと同程度とする場合について述べたが、例えば、加飾カバーは、フロントケースの側面部までも覆うように構成しても良い。
また、上部ユニットのみでなく、下部ユニットにも加飾カバーを取り付けるようにしても良い。この場合、折曲可能なように一体化されていても良い。
また、クッション部材の配置箇所は、３箇所に限らないし、配置位置も適宜変更できる。また、爪部及び対応する切欠き部の形成部位も、適宜変更することができる。
また、単に開閉のみ可能な折畳式の携帯電話機に限らず、２軸ヒンジで、上部ユニットと下部ユニットとが、互いに開閉自在で、かつ、開閉を行うための回動軸に直交する回動軸の周りにも一方のユニットが他方のユニットに対して回動自在に相互に結合された携帯電話機にも適用できる。但し、この場合、一方のユニットに加飾カバーが装着されて、反転状態で折り畳まれたときに、加飾カバーの表面側（内側）と他方のユニットとが干渉しないように、加飾カバー及び他方のユニットのフロントケース等の寸法及び形状が設定される。
また、折畳式以外のストレートタイプの携帯電話機にも適用できる。また、携帯電話機本体の外形形状に依らず、適用が可能である。
【００６９】
また、実施例１では、加飾カバーを取り外す際に、一旦、加飾カバーをリアカバーに押し付けてから、加飾カバーを拡開させた状態で持ち上げる場合について述べたが、爪部及び切欠き部が設けられていないヒンジ側から、このまま加飾カバーを持ち上げて、加飾カバーを取り外すようにしても良い。
また、実施例３で、補助レンズのほかに、フィルタ等の光学部材を加飾カバーに取り付けるようにしても良い。また、電子カメラユニット自体を加飾カバーに取り付けるようにしても良い。また、補助表示部に重なって配置されるように、加飾カバーにレンズを取り付け、例えば、補助表示部に表示された文字の拡大表示が可能なように構成しても良い。また、発光部からの放射光をぼかす半透明部材を用いるようにしても良い。また、必要に応じて、カメラレンズを加飾カバーによって隠す構成としても良い。
【産業上の利用可能性】
【００７０】
携帯型電子機器としては、携帯電話機のほか、簡易型携帯電話（ＰＨＳ）端末や、携帯情報端末（ＰＤＡ）、携帯型のコンピュータに対して適用できる。
【図面の簡単な説明】
【００７１】
【図１】この発明の第１実施例である携帯電話機の構成を説明するための分解斜視図である。
【図２】同携帯電話機の上部ユニットの構成を示す断面図である。
【図３】図２のＡ部を拡大して示す拡大断面図であって、同携帯電話機の加飾カバー取付構造の構成及び機能を説明するための説明図である。
【図４】同携帯電話機の構成を示すブロック図である。
【図５】携帯電話機本体の構成を説明するための斜視図である。
【図６】同携帯電話機の加飾カバーの構成を一部透視して示す斜視図である。
【図７】同加飾カバーの構成を示す平面図である。
【図８】同加飾カバーの構成を示す下面図である。
【図９】同加飾カバーの構成を示す正面図である。
【図１０】同加飾カバーの構成を示す背面図である。
【図１１】同加飾カバーの構成を示す右側面図である。
【図１２】同加飾カバーの構成を示す左側面図である。
【図１３】図１のＢ部を拡大して示す拡大図である。
【図１４】図１のＣ部を拡大して示す拡大図である。
【図１５】図１のＤ部を拡大して示す拡大図である。
【図１６】図１のＥ部を拡大して示す拡大図である。
【図１７】図６のＦ部を拡大して示す拡大図である。
【図１８】図６のＧ部を拡大して示す拡大図である。
【図１９】図６のＨ部を拡大して示す拡大図である。
【図２０】図６のＩ部を拡大して示す拡大図である。
【図２１】図８のＪ部を拡大して示す拡大図である。
【図２２】図８のＫ部を拡大して示す拡大図である。
【図２３】図８のＬ部を拡大して示す拡大図である。
【符号の説明】
【００７２】
１      携帯電話機（携帯型電子機器）
２      筐体
３      携帯電話機本体
４      加飾カバー（カバー部材）
５      上部ユニット
６      下部ユニット
９      上部筐体
１７      フロントケース
１８      リアカバー
２１      外面部（第１の主面部）
２２      側面部（第１の側面部）
２２ａ，２２ｂ，２２ｃ      切欠き部（係止部）
２４      下部筐体
３５      フロントケース
３６      リアカバー
３８      天井部（第２の主面部）
３９      側面部（第２の側面部）
４１      クッション部材（付勢部）
４３      上部
４３ｂ    爪部（被係止部）
４５      側部
４５ａ，４５ｂ      爪部（被係止部）
４７      加飾カバー取付構造（カバー部材取付構造）
【図１】
2006217189.tif 000003
【図２】
2006217189.tif 000004
【図３】
2006217189.tif 000005
【図４】
2006217189.tif 000006
【図５】
2006217189.tif 000007
【図６】
2006217189.tif 000008
【図７】
2006217189.tif 000009
【図８】
2006217189.tif 000010
【図９】
2006217189.tif 000011
【図１０】
2006217189.tif 000012
【図１１】
2006217189.tif 000013
【図１２】
2006217189.tif 000014
【図１３】
2006217189.tif 000015
【図１４】
2006217189.tif 000016
【図１５】
2006217189.tif 000017
【図１６】
2006217189.tif 000018
【図１７】
2006217189.tif 000019
【図１８】
2006217189.tif 000020
【図１９】
2006217189.tif 000021
【図２０】
2006217189.tif 000022
【図２１】
2006217189.tif 000023
【図２２】
2006217189.tif 000024
【図２３】
2006217189.tif 000025